(57)【要約】【課題】  剛性を高めることができる空気入りタイヤを提供する。【解決手段】  空気入りタイヤにおいては、サイドウォールゴムのゴム材は、リムストリップゴムのゴム材と、同じであり、サイドウォールゴム及びリムストリップゴムのゴム硬度は、トレッドゴムのゴム硬度よりも、高く、空気入りタイヤは、ベルトプライとサイドプライとの間に、メタルレス領域を備え、メタルレス領域は、タイヤ子午面の断面において、内表面の曲率半径が異なる複数の領域を備え、複数の領域は、内表面の曲率半径が最も小さい最小領域を含み、最小領域は、メタルレス領域における、サイドウォールゴムの厚みが最大となる最大厚み位置を、含む。【選択図】  図３
2020104779.tif 000002
【特許請求の範囲】
【請求項１】
ビード部の外表面を構成するリムストリップゴムと、
トレッド部の外表面を構成するトレッドゴムと、
サイドウォール部の外表面を構成し、前記リムストリップゴム及び前記トレッドゴムにそれぞれ連接されるサイドウォールゴムと、
前記トレッド部の内部に配置され、金属のコードを有するベルトプライと、
前記ビード部及び前記サイドウォール部の内部に配置され、金属のコードを有するサイドプライと、を備える、空気入りタイヤであって、
前記サイドウォールゴムのゴム材は、前記リムストリップゴムのゴム材と、同じであり、
前記サイドウォールゴム及び前記リムストリップゴムのゴム硬度は、前記トレッドゴムのゴム硬度よりも、高く、
前記空気入りタイヤは、前記ベルトプライと前記サイドプライとの間に、メタルレス領域を備え、
前記メタルレス領域は、タイヤ子午面の断面において、内表面の曲率半径が異なる複数の領域を備え、前記複数の領域は、内表面の曲率半径が最も小さい最小領域を含み、
前記最小領域は、前記メタルレス領域における、前記サイドウォールゴムの厚みが最大となる最大厚み位置を、含む、空気入りタイヤ。
【請求項２】
前記最小領域は、前記最小領域の中心からタイヤ径方向外側に配置される外側領域と、前記最小領域の中心からタイヤ径方向内側に配置される内側領域と、を備え、
前記内側領域は、前記最大厚み位置を、含む、請求項１に記載の空気入りタイヤ。
【請求項３】
前記最小領域は、前記最小領域の中心からタイヤ径方向外側に配置される外側領域と、前記最小領域の中心からタイヤ径方向内側に配置される内側領域と、を備え、
前記内側領域の、前記サイドウォールゴムの厚みの平均は、前記外側領域の、前記サイドウォールゴムの厚みの平均よりも、厚い、請求項１又は２に記載の空気入りタイヤ。
【請求項４】
前記最小領域と前記ベルトプライとの距離は、前記最小領域と前記サイドプライとの距離よりも、小さい、請求項１〜３の何れか１項に記載の空気入りタイヤ。
【発明の詳細な説明】
【技術分野】
【０００１】
本発明は、空気入りタイヤに関する。
【背景技術】
【０００２】
従来、例えば、空気入りタイヤは、ビード部の外表面を構成するリムストリップゴムと、トレッド部の外表面を構成するトレッドゴムと、サイドウォール部の外表面を構成するサイドウォールゴムとを備えている（例えば、特許文献１）。ところで、例えば、レース用等の用途において、剛性を高めた空気入りタイヤが要望されている。
【先行技術文献】
【特許文献】
【０００３】
【特許文献１】特開２０１８−１０８７５１号公報
【発明の概要】
【発明が解決しようとする課題】
【０００４】
そこで、課題は、剛性を高めることができる空気入りタイヤを提供することである。
【課題を解決するための手段】
【０００５】
空気入りタイヤは、ビード部の外表面を構成するリムストリップゴムと、トレッド部の外表面を構成するトレッドゴムと、サイドウォール部の外表面を構成し、前記リムストリップゴム及び前記トレッドゴムにそれぞれ連接されるサイドウォールゴムと、前記トレッド部の内部に配置され、金属のコードを有するベルトプライと、前記ビード部及び前記サイドウォール部の内部に配置され、金属のコードを有するサイドプライと、を備える、空気入りタイヤであって、前記サイドウォールゴムのゴム材は、前記リムストリップゴムのゴム材と、同じであり、前記サイドウォールゴム及び前記リムストリップゴムのゴム硬度は、前記トレッドゴムのゴム硬度よりも、高く、前記空気入りタイヤは、前記ベルトプライと前記サイドプライとの間に、メタルレス領域を備え、前記メタルレス領域は、タイヤ子午面の断面において、内表面の曲率半径が異なる複数の領域を備え、前記複数の領域は、内表面の曲率半径が最も小さい最小領域を含み、前記最小領域は、前記メタルレス領域における、前記サイドウォールゴムの厚みが最大となる最大厚み位置を、含む。
【０００６】
また、空気入りタイヤにおいては、前記最小領域は、前記最小領域の中心からタイヤ径方向外側に配置される外側領域と、前記最小領域の中心からタイヤ径方向内側に配置される内側領域と、を備え、前記内側領域は、前記最大厚み位置を、含む、という構成でもよい。
【０００７】
また、空気入りタイヤにおいては、前記最小領域は、前記最小領域の中心からタイヤ径方向外側に配置される外側領域と、前記最小領域の中心からタイヤ径方向内側に配置される内側領域と、を備え、前記内側領域の、前記サイドウォールゴムの厚みの平均は、前記外側領域の、前記サイドウォールゴムの厚みの平均よりも、厚い、という構成でもよい。
【０００８】
また、空気入りタイヤにおいては、前記最小領域と前記ベルトプライとの距離は、前記最小領域と前記サイドプライとの距離よりも、小さい、という構成でもよい。
【図面の簡単な説明】
【０００９】
【図１】図１は、一実施形態に係る空気入りタイヤのタイヤ子午面における要部断面図である。
【図２】図２は、図１の要部拡大図である。
【図３】図３は、図２のIII領域拡大図である。
【発明を実施するための形態】
【００１０】
以下、空気入りタイヤにおける一実施形態について、図１〜図３を参照しながら説明する。なお、各図において、図面の寸法比と実際の寸法比とは、必ずしも一致しておらず、また、各図面の間での寸法比も、必ずしも一致していない。
【００１１】
各図において、第１の方向Ｄ１は、空気入りタイヤ（以下、単に「タイヤ」ともいう）１の回転中心であるタイヤ回転軸と平行であるタイヤ幅方向Ｄ１であり、第２の方向Ｄ２は、タイヤ１の直径方向であるタイヤ径方向Ｄ２であり、第３の方向Ｄ３（図示していない）は、タイヤ回転軸周りのタイヤ周方向Ｄ３である。
【００１２】
なお、タイヤ幅方向Ｄ１において、内側は、タイヤ赤道面Ｓ１に近い側となり、外側は、タイヤ赤道面Ｓ１から遠い側となり、タイヤ径方向Ｄ２において、内側は、タイヤ回転軸に近い側となり、外側は、タイヤ回転軸から遠い側となる。また、タイヤ赤道面Ｓ１とは、タイヤ回転軸に直交する面で且つタイヤ１のタイヤ幅方向Ｄ１の中心に位置する面のことであり、タイヤ子午面とは、タイヤ回転軸を含む面で且つタイヤ赤道面Ｓ１と直交する面のことである。
【００１３】
図１に示すように、本実施形態に係るタイヤ１は、ビード２ａを有する一対のビード部２と、各ビード部２からタイヤ径方向Ｄ２の外側に延びるサイドウォール部３と、一対のサイドウォール部３のタイヤ径方向Ｄ２の外端部に連接され、タイヤ径方向Ｄ２の外表面が路面に接地するトレッド部４とを備えている。本実施形態においては、タイヤ１は、内部に空気が入れられる空気入りタイヤ１であって、リム１０に装着される。
【００１４】
なお、タイヤ１のタイヤ幅方向Ｄ１の寸法（タイヤ幅）Ｗ１が最大値となる位置、即ち、最大幅位置１ａは、サイドウォール部３に存在している。本実施形態においては、タイヤ幅Ｗ１の最大値は、タイヤ断面高さＷ２の最大値よりも大きくなっている。なお、タイヤ断面高さＷ２の最大値は、ビード部２のタイヤ径方向Ｄ２の内端から、トレッド部４のタイヤ径方向Ｄ２の外端までの、タイヤ径方向Ｄ２の距離である。
【００１５】
また、タイヤ１は、一対のビード２ａ，２ａの間に架け渡されるカーカス層５と、カーカス層５の内側に配置され、空気圧を保持するために、気体の透過を阻止する機能に優れるインナーライナ層６とを備えている。カーカス層５及びインナーライナ層６は、ビード部２、サイドウォール部３、及びトレッド部４に亘って、タイヤ内周に沿って配置されている。
【００１６】
図１及び図２に示すように、カーカス層５は、一対のビード２ａ，２ａの間に架け渡されるカーカスプライ５ａ，５ｂを備えている。カーカスプライ５ａ，５ｂは、ビード２ａを巻き込むようにビード２ａの周りで折り返されている。これにより、カーカスプライ５ａ，５ｂは、一対のビード２ａ，２ａの間に亘るプライ本体部５ｃ，５ｄと、ビード２ａの周りでタイヤ幅方向Ｄ１の内側から外側に巻き上げられる巻き上げ部５ｅ，５ｆとを備えている。
【００１７】
カーカスプライ５ａ，５ｂは、タイヤ周方向Ｄ３に対して直交する方向に配列した複数のコードと、コードを被覆するトッピングゴムとを備えている。なお、カーカスプライ５ａ，５ｂのコードの材質は、特に限定されないが、例えば、ポリエステル、レーヨン、ナイロン、アラミド等の有機繊維、又は、スチール等の金属が好適である。
【００１８】
ビード２ａは、環状に形成され、ビード部２の内部に配置されている。そして、ビード部２は、ビード部２の外表面を構成するリムストリップゴム２ｂを備えている。なお、タイヤ１がリム１０に装着される際に、リムストリップゴム２ｂは、リム１０に接する。即ち、リムストリップゴム２ｂは、少なくともリム１０に接する部分に、配置されている。
【００１９】
ビード２ａは、環状に形成されるビードコア２ｃと、ビードコア２ｃのタイヤ径方向Ｄ２の外側に配置されるビードフィラー２ｄとを備えている。タイヤ子午面の断面において、ビードコア２ｃは、多角形状又は円形状に形成されており、ビードフィラー２ｄは、タイヤ径方向Ｄ２の外側に向けて幅狭のテーパ状となるように、形成されている。
【００２０】
ビードコア２ｃは、例えば、積層される金属のワイヤ（例えば、ブロンズメッキを施した鋼線等）と、ワイヤを被覆するトッピングゴムとを備えている。また、ビードフィラー２ｄは、例えば、硬質ゴムで形成されている。
【００２１】
トレッド部４は、トレッド部４の外表面を構成するトレッドゴム４ａと、トレッド部４の内部に配置されるベルト層４ｂとを備えている。そして、トレッドゴム４ａは、路面に接する。また、ベルト層４ｂは、トレッドゴム４ａとカーカス層５との間に配置されている。
【００２２】
ベルト層４ｂは、複数のベルトプライ４ｃ，４ｄを備えている。ベルトプライ４ｃ，４ｄの個数は、特に限定されない。本実施形態においては、タイヤ径方向Ｄ２の外側から、第１ベルトプライ４ｃ及び第２ベルトプライ４ｄの二つが備えられている。
【００２３】
ベルトプライ４ｃ，４ｄは、タイヤ周方向Ｄ３に対して所定の傾斜角度（例えば、１５°〜３５°）で配列された複数本のコードと、コードを被覆するトッピングゴムとを備えている。なお、ベルトプライ４ｃ，４ｄのコードの材質は、特に限定されないが、例えば、ポリエステル、レーヨン、ナイロン、アラミド等の有機繊維、又は、スチール等の金属が好適である。
【００２４】
なお、ベルト層４ｂは、ベルトプライ４ｃ，４ｄのタイヤ径方向Ｄ２の外側に配置されるベルト補強部４ｅを備えていてもよい。ベルト補強部４ｅは、トッピングゴムで被覆された少なくとも１本のコードが、タイヤ周方向Ｄ３に沿って螺旋状（タイヤ周方向Ｄ３に対する傾斜角度は０〜５°）に巻回されることで、形成されている。なお、ベルト補強部４ｅのコードは、ポリエステル、レーヨン、ナイロン、アラミド等の有機繊維が好適である。
【００２５】
サイドウォール部３は、サイドウォール部３の外表面を構成するサイドウォールゴム３ａを備えている。サイドウォールゴム３ａのタイヤ幅方向Ｄ１の内側面は、カーカス層５のタイヤ幅方向Ｄ１の外側面に連接されている。
【００２６】
また、サイドウォールゴム３ａは、リムストリップゴム２ｂ及びトレッドゴム４ａにそれぞれ連接されている。具体的には、サイドウォールゴム３ａのタイヤ径方向Ｄ２の内側端部３ｂは、リムストリップゴム２ｂのタイヤ径方向Ｄ２の外側端部２ｅと連接され、サイドウォールゴム３ａのタイヤ径方向Ｄ２の外側端部３ｃは、トレッドゴム４ａのタイヤ幅方向Ｄ１の外側端部４ｆに連接されている。
【００２７】
ここで、本実施形態に係るタイヤ１は、タイヤ１の剛性を高める構成を採用しており、以下、その構成についてそれぞれ説明する。まず、サイドウォールゴム３ａのゴム材によって、タイヤ１の剛性を高める構成について説明する。
【００２８】
サイドウォールゴム３ａのゴム材は、リムストリップゴム２ｂのゴム材と、同じである。これにより、サイドウォールゴム３ａのゴム硬度は、リムストリップゴム２ｂのゴム硬度と同じであり、サイドウォールゴム３ａのモジュラスも、リムストリップゴム２ｂのモジュラスと同じである。
【００２９】
しかも、サイドウォールゴム３ａ及びリムストリップゴム２ｂのゴム硬度は、トレッドゴム４ａのゴム硬度よりも、高くなっている。これにより、サイドウォール部３の剛性を高めることができるため、タイヤ１の剛性を高めることができる。したがって、例えば、操縦の応答性（リム１０の操舵を、タイヤ１を経由して路面に伝える反応の速さ）を向上させることができる。
【００３０】
なお、各ゴム２ｂ，３ａ，４ａのゴム硬度は、特に限定されない。サイドウォールゴム３ａ及びリムストリップゴム２ｂのゴム硬度は、例えば、６０〜８０であることが好ましく、また、例えば、６５〜７５であることがさらに好ましい。トレッドゴム４ａのゴム硬度は、例えば、５０〜７０であることが好ましい。
【００３１】
そして、サイドウォールゴム３ａ及びリムストリップゴム２ｂのゴム硬度は、トレッドゴム４ａのゴム硬度に対して、例えば、５以上高いことが好ましく、また、例えば、１０以上高いことがより好ましい。なお、ゴム硬度は、ＪＩＳ  Ｋ６２５３−１−２０１２  ３．２  デュロメータ硬さ（durometer hardness）であり、一般ゴム（中硬さ）用のタイプＡデュロメータを用いて、２３℃の雰囲気下で測定される。
【００３２】
また、各ゴム２ｂ，３ａのモジュラスは、特に限定されない。サイドウォールゴム３ａ及びリムストリップゴム２ｂのモジュラスは、例えば、ビードフィラー２ｄのモジュラスの２５％以上であることが好ましく、また、例えば、３０％以上であることがさらに好ましい。
【００３３】
これにより、サイドウォール部３の剛性を高めることができるため、タイヤ１の剛性を高めることができる。したがって、例えば、操縦の応答性を向上させることができる。なお、モジュラスは、ＪＩＳＫ６２５１に準拠して２３℃で測定した１００％伸び引張応力である。
【００３４】
次に、カーカスプライ５ａ，５ｂによって、タイヤ１の剛性を高める構成について説明する。
【００３５】
タイヤ１においては、最大幅位置１ａの剛性が低くなり易い。それに対して、第１カーカスプライ５ａの巻き上げ部５ｅのタイヤ径方向Ｄ２の外側端５ｇは、最大幅位置１ａよりも、タイヤ径方向Ｄ２の外側に配置されている。これにより、第１カーカスプライ５ａの巻き上げ部５ｅが、最大幅位置１ａに配置されているため、最大幅位置１ａの剛性が低くなることを抑制することができる。
【００３６】
なお、カーカスプライ５ａ，５ｂの個数は、特に限定されないが、本実施形態においては、カーカスプライ５ａ，５ｂは、複数備えられている。具体的には、第１カーカスプライ５ａ及び第２カーカスプライ５ｂの二つが備えられている。これにより、カーカスプライ５ａ，５ｂがサイドウォール部３に複数配置されるため、サイドウォール部３の剛性を高めることができている。
【００３７】
次に、サイドウォールゴム３ａの厚みによって、タイヤ１の剛性を高める構成について説明する。
【００３８】
まず、図２及び図３に示すように、タイヤ１は、ビード部２及びサイドウォール部３の内部に配置されるサイドプライ７を備えている。サイドプライ７は、カーカス層５とビード２ａとの間に配置されている。具体的には、サイドプライ７は、カーカスプライ５ａ，５ｂの巻き上げ部５ｅ，５ｆとビードフィラー２ｄとの間に配置されている。
【００３９】
これにより、サイドウォール部３（特に、タイヤ径方向Ｄ２の内側部分）及びビード部２の剛性を高めることができる。なお、サイドプライ７の個数は、特に限定されない。本実施形態においては、一つのサイドウォール部３及びビード部２に対して、一つのサイドプライ７が備えられている。また、例えば、一つのサイドウォール部３及びビード部２に対するサイドプライ７の個数は、ベルトプライ４ｃ，４ｄの個数よりも、少ないことが好ましい。
【００４０】
サイドプライ７は、タイヤ周方向Ｄ３に対して傾斜する方向に配列した複数のコードと、コードを被覆するトッピングゴムとを備えている。サイドプライ７のコードの材質は、特に限定されないが、例えば、ポリエステル、レーヨン、ナイロン、アラミド等の有機繊維、又は、スチール等の金属が好適である。
【００４１】
本実施形態においては、ベルトプライ４ｃ，４ｄ及びサイドプライ７のコードは、金属としており、ベルト補強部４ｅ及びカーカスプライ５ａ，５ｂのコードは、非金属（例えば、有機繊維）としている。これにより、タイヤ１は、ベルトプライ４ｃ，４ｄとサイドプライ７との間に、メタルレス領域１ｂを備えている。そして、メタルレス領域１ｂの剛性は、ベルトプライ４ｃ，４ｄ及びサイドプライ７を有する領域（メタル領域）の剛性よりも、低くなり易い。
【００４２】
ところで、タイヤ１を正規リム１０に装着して正規内圧を充填した無負荷状態の、タイヤ子午面の断面において、図３に示すように、メタルレス領域１ｂは、内表面の曲率半径が異なる複数の領域１ｃ〜１ｅを備えている。なお、各領域１ｃ〜１ｅの境界線（図３において、破線で図示している）は、タイヤ１の内表面の法線である。
【００４３】
そして、複数の領域１ｃ〜１ｅは、内表面の曲率半径が最も小さい最小領域１ｃと、最小領域１ｃとベルトプライ４ｃ，４ｄとの間に配置される第１領域１ｄと、最小領域１ｃとサイドプライ７との間に配置される第２領域１ｅとを含んでいる。なお、複数の領域１ｃ〜１ｅの個数は、特に限定されない。
【００４４】
そして、タイヤ１が走行中に弾性変形する際に、メタルレス領域１ｂのうち、最小領域１ｃに、応力が集中し易い。それに対して、最小領域１ｃは、メタルレス領域１ｂにおける、サイドウォールゴム３ａの厚みＷ３が最大となる最大厚み位置３ｄを、含んでいる。これにより、最小領域１ｃの剛性を高めることができている。なお、サイドウォールゴム３ａの厚みＷ３は、タイヤ１の内表面の法線方向の寸法である。
【００４５】
また、ベルトプライ４ｃ，４ｄの剛性は、サイドプライ７の剛性よりも高くなっている。例えば、各プライ４ｃ，４ｄ，７のコードの直径、コードのエンド数（単位幅当たりのコードの本数）が異なることによって、ベルトプライ４ｃ，４ｄの、単位幅当たりのコード総質量は、サイドプライ７の、単位幅当たりのコード総質量よりも、大きくなっている。
【００４６】
それに対して、最小領域１ｃとベルトプライ４ｄとの距離Ｗ４は、最小領域１ｃとサイドプライ７との距離Ｗ５よりも、小さくなっている。これにより、最小領域１ｃが、剛性の高いベルトプライ４ｃ，４ｄに近づいているため、最小領域１ｃの剛性を高めることができている。
【００４７】
なお、最小領域１ｃと各プライ４ｄ，７との距離Ｗ４，Ｗ５は、タイヤ１の内表面に沿った距離である。また、最小領域１ｃとベルトプライ４ｄとの距離Ｗ４は、ベルトプライ４ｃ，４ｄの端部のうち、最もタイヤ幅方向Ｄ１の外側の端部（本実施形態においては、第２ベルトプライ４ｄの端部４ｇ）と、最小領域１ｃとの距離Ｗ４である。
【００４８】
また、最小領域１ｃは、最小領域１ｃの中心１ｆからタイヤ径方向Ｄ２の外側に配置される外側領域１ｇと、最小領域１ｃの中心１ｆからタイヤ径方向Ｄ２の内側に配置される内側領域１ｈとを備えている。そして、内側領域１ｈが、剛性の高いベルトプライ４ｃ，４ｄから離れているため、内側領域１ｈの剛性が低くなり易い。
【００４９】
それに対して、内側領域１ｈは、ゴム硬度の高いサイドウォールゴム３ａの最大厚み位置３ｄを含んでいる。しかも、内側領域１ｈの、サイドウォールゴム３ａの厚みＷ３の平均は、外側領域１ｇの、サイドウォールゴム３ａの厚みＷ３の平均よりも、厚くなっている。これにより、内側領域１ｈの剛性を高めることができている。
【００５０】
以上より、本実施形態に係る空気入りタイヤ１は、ビード部２の外表面を構成するリムストリップゴム２ｂと、トレッド部４の外表面を構成するトレッドゴム４ａと、サイドウォール部３の外表面を構成し、前記リムストリップゴム２ｂ及び前記トレッドゴム４ａにそれぞれ連接されるサイドウォールゴム３ａと、前記トレッド部４の内部に配置され、金属のコードを有するベルトプライ４ｃと、前記ビード部２及び前記サイドウォール部３の内部に配置され、金属のコードを有するサイドプライ７と、を備える、空気入りタイヤ１であって、前記サイドウォールゴム３ａのゴム材は、前記リムストリップゴム２ｂのゴム材と、同じであり、前記サイドウォールゴム３ａ及び前記リムストリップゴム２ｂのゴム硬度は、前記トレッドゴム４ａのゴム硬度よりも、高く、前記空気入りタイヤ１は、前記ベルトプライ４ｃと前記サイドプライ７との間に、メタルレス領域１ｂを備え、前記メタルレス領域１ｂは、タイヤ子午面の断面において、内表面の曲率半径が異なる複数の領域１ｃ〜１ｅを備え、前記複数の領域１ｃ〜１ｅは、内表面の曲率半径が最も小さい最小領域１ｃを含み、前記最小領域１ｃは、前記メタルレス領域１ｂにおける、前記サイドウォールゴム３ａの厚みＷ３が最大となる最大厚み位置３ｄを、含む。
【００５１】
斯かる構成によれば、サイドウォールゴム３ａのゴム材が、リムストリップゴム２ｂのゴム材と同じであるため、サイドウォール部３の剛性を高めることができる。これにより、空気入りタイヤ１の剛性を高めることができる。
【００５２】
しかも、サイドウォールゴム３ａ及びリムストリップゴム２ｂのゴム硬度が、トレッドゴム４ａのゴム硬度よりも高いため、サイドウォール部３の剛性をさらに高めることができる。これにより、空気入りタイヤ１の剛性をさらに高めることができる。
【００５３】
ところで、空気入りタイヤ１が走行中に弾性変形する際に、メタルレス領域１ｂのうち、最小領域１ｃに、応力が集中し易いことに対して、最小領域１ｃは、メタルレス領域１ｂにおける、サイドウォールゴム３ａの厚みＷ３が最大となる最大厚み位置３ｄを、含んでいる。これにより、最小領域１ｃの剛性を高めることができる。したがって、空気入りタイヤ１の剛性を効果的に高めることができる。
【００５４】
また、本実施形態に係る空気入りタイヤ１においては、前記最小領域１ｃは、前記最小領域１ｃの中心１ｆからタイヤ径方向Ｄ２外側に配置される外側領域１ｇと、前記最小領域１ｃの中心１ｆからタイヤ径方向Ｄ２内側に配置される内側領域１ｈと、を備え、前記内側領域１ｈは、前記最大厚み位置３ｄを、含む、という構成である。
【００５５】
斯かる構成によれば、内側領域１ｈが、外側領域１ｇよりも、ベルトプライ４ｃ〜４ｅから離れているため、内側領域１ｈの剛性が低くなり易い。それに対して、内側領域１ｈが最大厚み位置３ｄを含んでいるため、内側領域１ｈの剛性を高めることができる。
【００５６】
また、本実施形態に係る空気入りタイヤ１においては、前記最小領域１ｃは、前記最小領域１ｃの中心１ｆからタイヤ径方向Ｄ２外側に配置される外側領域１ｇと、前記最小領域１ｃの中心１ｆからタイヤ径方向Ｄ２内側に配置される内側領域１ｈと、を備え、前記内側領域１ｈの、前記サイドウォールゴム３ａの厚みＷ３の平均は、前記外側領域１ｇの、前記サイドウォールゴム３ａの厚みＷ３の平均よりも、厚い、という構成である。
【００５７】
斯かる構成によれば、内側領域１ｈが、外側領域１ｇよりも、ベルトプライ４ｃ〜４ｅから離れているため、内側領域１ｈの剛性が低くなり易い。それに対して、内側領域１ｈの、サイドウォールゴム３ａの厚みＷ３の平均が、外側領域１ｇの、サイドウォールゴム３ａの厚みＷ３の平均よりも、厚くなっているため、内側領域１ｈの剛性を高めることができる。
【００５８】
また、本実施形態に係る空気入りタイヤ１においては、前記最小領域１ｃと前記ベルトプライ４ｃとの距離Ｗ４は、前記最小領域１ｃと前記サイドプライ７との距離Ｗ５よりも、小さい、という構成である。
【００５９】
斯かる構成によれば、ベルトプライ４ｃの剛性がサイドプライ７の剛性よりも高いことに対して、最小領域１ｃとベルトプライ４ｃとの距離Ｗ４は、最小領域１ｃとサイドプライ７との距離Ｗ５よりも、小さくなっている。これにより、最小領域１ｃがベルトプライ４ｃの近くに配置されているため、最小領域１ｃの剛性を高めることができる。
【００６０】
なお、空気入りタイヤ１は、上記した実施形態の構成に限定されるものではなく、また、上記した作用効果に限定されるものではない。また、空気入りタイヤ１は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００６１】
（１）上記実施形態に係る空気入りタイヤ１においては、内側領域１ｈは、最大厚み位置３ｄを、含む、という構成である。しかしながら、空気入りタイヤ１は、斯かる構成が好ましいものの、斯かる構成に限られない。例えば、外側領域１ｇは、最大厚み位置３ｄを、含む、という構成でもよい。
【００６２】
（２）また、上記実施形態に係る空気入りタイヤ１においては、内側領域１ｈの、サイドウォールゴム３ａの厚みＷ３の平均は、外側領域１ｇの、サイドウォールゴム３ａの厚みＷ３の平均よりも、厚い、という構成である。しかしながら、空気入りタイヤ１は、斯かる構成が好ましいものの、斯かる構成に限られない。例えば、内側領域１ｈの、サイドウォールゴム３ａの厚みＷ３の平均は、外側領域１ｇの、サイドウォールゴム３ａの厚みＷ３の平均以下である、という構成でもよい。
【００６３】
（３）また、上記実施形態に係る空気入りタイヤ１においては、最小領域１ｃとベルトプライ４ｃとの距離Ｗ４は、最小領域１ｃとサイドプライ７との距離Ｗ５よりも、小さい、という構成である。しかしながら、空気入りタイヤ１は、斯かる構成が好ましいものの、斯かる構成に限られない。例えば、最小領域１ｃとベルトプライ４ｃとの距離Ｗ４は、最小領域１ｃとサイドプライ７との距離Ｗ５以上である、という構成でもよい。
【００６４】
（４）また、上記実施形態に係る空気入りタイヤ１においては、複数のカーカスプライ５ａ，５ｂのうち、一つのカーカスプライ５ａの巻き上げ部５ｅのタイヤ径方向Ｄ２の外側端５ｇは、最大幅位置１ａよりも、タイヤ径方向Ｄ２の外側に配置される、という構成である。しかしながら、空気入りタイヤ１は、斯かる構成に限られない。
【００６５】
例えば、複数のカーカスプライ５ａ，５ｂのうち、全てのカーカスプライ５ａ，５ｂの巻き上げ部５ｅ，５ｆのタイヤ径方向Ｄ２の外側端５ｇは、最大幅位置１ａよりも、タイヤ径方向Ｄ２の外側に配置されている、という構成でもよい。なお、例えば、複数のカーカスプライ５ａ，５ｂのうち、全てのカーカスプライ５ａ，５ｂの巻き上げ部５ｅ，５ｆのタイヤ径方向Ｄ２の外側端５ｇは、最大幅位置１ａよりも、タイヤ径方向Ｄ２の内側に配置されている、という構成でもよい。
【符号の説明】
【００６６】
１…空気入りタイヤ、１ａ…最大幅位置、１ｂ…メタルレス領域、１ｃ…最小領域、１ｄ…第１領域、１ｅ…第２領域、１ｆ…中心、１ｇ…外側領域、１ｈ…内側領域、２…ビード部、２ａ…ビード、２ｂ…リムストリップゴム、２ｃ…ビードコア、２ｄ…ビードフィラー、２ｅ…外側端部、３…サイドウォール部、３ａ…サイドウォールゴム、３ｂ…内側端部、３ｃ…外側端部、３ｄ…最大厚み位置、４…トレッド部、４ａ…トレッドゴム、４ｂ…ベルト層、４ｃ…第１ベルトプライ、４ｄ…第２ベルトプライ、４ｅ…ベルト補強部、４ｆ…外側端部、４ｇ…端部、５…カーカス層、５ａ…第１カーカスプライ、５ｂ…第２カーカスプライ、５ｃ，５ｄ…プライ本体部、５ｅ，５ｆ…巻き上げ部、５ｇ…外側端、６…インナーライナ層、７…サイドプライ、１０…リム、Ｄ１…タイヤ幅方向、Ｄ２…タイヤ径方向、Ｓ１…タイヤ赤道面
【図１】
2020104779.tif 000003
【図２】
2020104779.tif 000004
【図３】
2020104779.tif 000005